(57)【要約】      （修正有）【課題】被災時に断水によって使用不能となったトイレに装着し、着脱、保存、回収、処分施設の負担の大きい、大袋による大小混合の汚物ゴミの減量となる、尿のみを分別回収する尿回収漏斗を提供する。【解決手段】防水性と可とう性のある樹脂製で、上端部は洋式便器本体１０のリム部１１内面に沿う広い開口部６を持ち、その開口部６より連続して該便器の内側形状にゆるやかに沿いながら下方に向かって次第に狭窄し、該便器内底付近において細長い管形状となる。その狭窄管２の先は該便器上部リム部１１の上を通り便器外部に設置の蓄尿容器１３と常に接続させる。断水時の便器に装着し排尿後各自で持ち上げて蓄尿容器１３に尿のみを流下させ回収する。細長い狭窄管２を持つ漏斗形状を特徴とする尿回収漏斗である。【選択図】図１
2016199865.tif 000002
【特許請求の範囲】
【請求項１】
防水性と可とう性の有る樹脂で形成され、上端を洋式便器リム部内側面に沿う略円形を広い開口部とし、下端部の形状は次第に絞られ漏斗狭窄部に至る漏斗筒部と、当該漏斗狭窄部に連続して形成される狭窄管部により構成されるが、該狭窄管部は該漏斗筒部を洋式便器内装着時に、該漏斗狭窄部の位置する該便器内部より便器リム部の上面を通り、便器外に位置する外部容器に接続し得る長さを有する狭窄管部であることを特徴とする尿回収漏斗。                              
【請求項２】
前記記載の狭窄管部は分離可能に構成されていることを特徴とする請求項１記載の尿回収漏斗。
【請求項３】
洋式便器本体に装着される漏斗形状の尿回収のための装置に於ける、漏斗筒部下端の漏斗狭窄部に繋がる狭窄管部を、該漏斗狭窄部が洋式便器本体内部に位置する時、洋式便器本体外部に位置する尿回収のための外部容器とを便器リム部の上を通り繋ぎ、排尿使用時及び使用待機時も常に外部容器と接続させておく方法により、使用待機時には少量の水で臭気の逆流を防ぐ事が出来、該漏斗筒部に排尿後は該漏斗筒部を持ち上げるだけで尿を直ちに外部容器に流下させ回収することが可能となる方法。
【発明の詳細な説明】
【技術分野】
【０００１】
断水時に洋式便器の中に装着して排尿時に尿のみを回収するための、尿分別回収を可能にする尿回収漏斗に関するものである。
【背景技術】
【０００２】
地震等の災害が予想されているが、都心部では指定避難所よりも堅牢な建築物も多く、建物や設備自体に被害はないが、停電や断水被害のためにトイレ使用不能となり避難所に非難するという事態が起こりうる。皆が防災用トイレの備蓄に際し使用人数や断水期間の予測に悩まず、気安く備えることが出来ていればわざわざ仮設トイレに出向くことも無く、避難所トイレの混雑を少しでも軽減出来るのではないか。
【０００３】
断水時に便器に大袋を掛けて使用し、凝固剤を入れて下水管廃棄不可の汚物ゴミとなる非常用トイレが多く市販されているが、下水管廃棄不可の汚物ゴミは一般家庭ゴミと同時に回収するとゴミ収集車内で破裂し汚染するので、別に回収をする事になるが一刻も早い廃棄を望みルール無視で廃棄される事や、集積所近隣の迷惑は想像でき得る。質量の大きい汚物ゴミの保存及び搬出時の負担の軽減、又管公による回収作業及び廃棄施設の負担を軽減したい。
【先行技術文献】
【特許文献】
【０００４】
【特許文献１】特開２０００−２０１８５７号公報。
【特許文献２】実登３０１５１７５公報。
【発明の概要】
【発明が解決しようとする課題】
【０００５】
被災時に便器に破損が無ければ、組み立て式便器などを他所に設置するのではなく、自宅便器をそのまま使用して慣れた空間や使用感を維持したい。上記特許文献１は自宅便器に大袋を装着する物で、土中に埋めても環境汚染の心配は無いとのことで望ましいが、現在都心部においてはその他の物との区別も埋設場所確保も困難と思われ、大半が凝固剤を入れ下水管廃棄不可の可燃ゴミとして処理されるのではないか。また既存の便器に大袋を掛けて大小便の区別なく使用することは、視覚や臭覚において嫌悪感があり、重く汚物が詰まった袋の取外し及び保管及び移動は、高齢者には負担が大きいと思われる。
【０００６】
特許文献２は便座に乗せて1回毎に廃棄する携帯型便器で、着脱も容易で既存便器に限らず使用可能等々良い面も多いが、備蓄数の考慮が必要であるし、凝固剤を使用した下水管廃棄不可の可燃ゴミ量が多くなるという難点がある。
【課題を解決するための手段】
【０００７】
上記課題を解決するために、防水性と可とう性の有る樹脂で形成され、上端を洋式便器リム部内側面に沿う略円形を広い開口部とし、下端部の形状は次第に絞られ漏斗狭窄部に至る漏斗筒部と、当該漏斗狭窄部に連続して形成される狭窄管部により構成されるが、該狭窄管部は該漏斗筒部を洋式便器内装着時に、該漏斗狭窄部の位置する便器内部より便器リム部の上面を通り、便器外に位置する外部容器に接続し得る長さを有する狭窄管部であることを特徴とする尿回収漏斗を提供する。
【発明の効果】
【０００８】
本装置と蓄尿の為の便器外部容器を接続し、洋式便器内に本装置を装着し排尿後にトイレットペーパー等の固体は入れず、尿のみが入った本装置を持ち上げれば蓄尿のための外部容器に流下するので全て流す。有ればコップ半分程の水を掛けて洗い、再度持ち上げ外部容器に移し、該装置を再度便器内に装着し、更にコップ半分程の水を注水すれば細くＳトラップ形状になった放出管内に溜められ臭いは逆流しない。
【０００９】
外部容器に多く溜まった尿は容器に栓をして下水管及び指定場所に運び尿を廃棄する。固体が混入しない方が搬出及び浄化において負担は軽い。
【００１０】
外部容器は繰り返し使用に耐える物を推奨する。大便排泄時は本装置の上に大便時用に小袋を掛けて使用する装置を推奨するが、その使用回数は備蓄量に影響する。しかし本装置使用の尿回収分は防災備蓄に際し断水の長期化、使用人数にさほど影響されない。
【図面の簡単な説明】
【００１１】
【図１】本発明を実施するための実施例１の全体構成図。
【図２】本発明を実施するための実施例１の尿回収漏斗の全体図。
【図３】本発明を実施するための実施例２の尿回収漏斗の側面図。
【発明を実施するための形態】
【００１２】
以下、実施例１，２を図１〜図３に示し説明する。
【実施例】
【００１３】
尿回収漏斗の基本構造は図３に示す漏斗形状である。図において６は広い開口部を持ち次第に下端部が絞られる漏斗状筒部で有り、７はその最も狭い内径となった部分の漏斗狭窄部である。２はそれより続く狭窄管部である。
【００１４】
図１図２は実施例１を示す。図において１０は洋式便器本体であり、１１は洋式便器本体１０の上部の便器リム部である。１５は洋式便器本体１０に接続されて開閉する便座である。１３は洋式便器本体１０の傍らに置いた蓄尿のための外部容器であり、それに有る１４は狭窄管部と接続のための外部容器接続部である。4は漏斗状筒部６の上端に形成されるフランジ部であり、３はその左右に取付けられる持ち手である。５は狭窄管部に設けられた狭窄管接続部である。
【００１５】
本実施形態の尿回収漏斗１は洋式便器に適合し、断水時等の渇水状態の便器に用いられるよう構成され、防水性と可とう性を持った樹脂で形成される。
【００１６】
漏斗状筒部６は洋式便器本体１０上部の便器リム部１１の内側面に沿う略円形を広い開口部とし、次第に下方に向かい該洋式便器本体１０内部の形状と類似した湾曲を持ちながら絞られていく形状で、該洋式便器本体１０内部底より１０ｃｍ上付近に漏斗状筒部６の内径が最も狭くなった部分の漏斗狭窄部７が至るよう形成されている。該漏斗状筒部６の素材は防水性と可とう性を持った素材として厚さ０．０５ｍｍ〜０.１２ｍｍ程のポリエチレンが適当と思われる。持ち手３の取付け部分以外には、一回分の尿量を直ちに流下させる想定なので余り負荷は掛からない。しかしゴム又はシリコンのような重みの有る素材でも、繰り返しの便器内着脱に際し操作性は良くなると思われる。
【００１７】
便器への装着性や持ち上げに際する操作性において前記漏斗状筒部６の上端部に延長して便器リム部１１の上面に載せるフランジ部４が形成され、該便器リム部１１と該漏斗状筒部６との間に出来る皺や落ち込みを防ぐ効果を得る。該フランジ部４は同素材を数枚融着して略円形を維持出来るような厚みを持たせるが、便座１５を下ろしての使用時に該便座１５の安定に支障をきたす程の厚みを持たせてはいけない。
【００１８】
さらに上記フランジ部４の左右に持ち手３が取付けられて、洋式便器本体１０内部への装着と持ち上げに際する操作性が更に向上される。持ち手の形状を特定はしないが、図１の該持ち手３は便器リム部１１の幅約５ｃｍを挟んで両端に４ｃｍ垂下する逆Ｕ字状で長さ１０ｃｍの硬質の樹脂で形成され、該フランジ部４の左右にそれぞれ取付けられる。
【００１９】
尿回収漏斗１は漏斗状筒部６から漏斗狭窄部７を経て狭窄管部２へと形状が移行していくが、その漏斗狭窄部７付近において、該漏斗状筒部６と該狭窄管部２とを分離し、狭窄管接続部５を設け双方が接続される事により、一体成型であるより該狭窄管接続部５が多少の錘となって便器内への装着が簡便になる。狭窄管接続部５の位置は成型加工の都合により漏斗狭窄部７の上又は下で有っても構わないと思われる。更に漏斗状筒部６の厚さが０．０６ｍｍ以上で形成された場合狭窄管部２は、より薄いポリエチレンで形成されることにより、少量の水も無い折に臭気の逆流を防ぐ手段が講じ易くなると思われる。試作に於いては狭窄管部２の部分に厚さ０.０１ｍｍの市販傘袋でも支障は無かった。又その長さは洋式便器内部底が深い位置に有る形式の便器において、外部容器の設置場所との距離を考慮した場合、３５ｃｍ〜６０ｃｍ程が持ち上げて尿を流下させる動作においても妥当範囲と思われる。しかし新型の便器では便器内部が浅い物が有ったり、尿の跳ね返りや大便用器具の設置を考慮しなければ、その長さは更に短くても可能となる。
【００２０】
以上のように実施形態１を形成した尿回収漏斗１は図１に示すように、枯渇洋式便器本体１０の傍らに置かれた蓄尿のための外部容器１３に、狭窄管部２の下端が着脱自在な外部容器接続部１４において接続される。該尿回収漏斗１の持ち手３を持ち、該洋式便器本体１０の真上から漏斗狭窄部７が便器内部底付近に至るよう下ろし、フランジ部４を便器リム部１１の上に載せ、該持ち手３は該便器リム部１１に掛けられて使用される。
【００２１】
本装置は尿のみの排便時に液体のみを分別回収する装置であるので、大便時には別の器具,方法等を重ねて使用し、大便やトイレットペーパー等の固体を入れてはならない。又、一回ずつ各自で使用後の対処を行うのが基本である。
【００２２】
排尿後、尿のみが入った尿回収漏斗１の持ち手３を各自が持ち上げ接続されている外部容器１３に尿を流下させる。該尿回収漏斗１を先程と同様に洋式便器本体１０に装着し繰り返し使用するが、あればコップ半分程の水で尿回収漏斗１内の汚れた部分に掛けて洗浄し、再度持ち上げその水を外部容器１３に流下させる。再度同様に該洋式便器本体１０に装着し、さらにコップ半分ほどの水を尿回収漏斗１内に注入しておけば、細くＳトラップ形状になった狭窄管部２内に留まり臭いはほぼ逆流しない。もし全く水が無い場合は多少臭うが、狭窄管部２を挟む又は圧迫等の何れかの手段を用いる事により、臭気の逆流は軽減される。
【００２３】
外部容器１３に溜まった尿の廃棄時は外部容器接続部１４において狭窄管部２を外し、該外部容器１３に栓をして下水管又は指定場所に運び尿を廃棄する。該外部容器１３は再び同様に該狭窄管部２と接続して繰り返し使用される。廃棄時には容器が密封出来て固体が混入していない方が搬出し易く、また被災時の浄化施設の負担も軽減出来る。
【００２４】
実施例２の尿回収漏斗１は実施例１と異なり漏斗狭窄部７において分離されずに形成される事により、尿を流下させる折に接続部における些かの残留分も無く滑らかになる。しかし素材によっては装着の折りに洋式便器本体１０の内側形状に沿い難い事も有る。該尿回収漏斗１は厚さ０．０５ｍｍ程のポリエチレンで形成されフランジは設けず、漏斗状筒部６の上端を２ｃｍ程折り返して筒を形成し端を融着し形成された筒部分に、樹脂製の枠となる部品を通し皺が出来ないよう略円形を保たせる。左右に持ち手３を取り付け便器リム部１１に該持ち手３を掛けて実施例１と同様に使用される。
【００２５】
自家の便器自体が破損等のため使用不可の場合は、床にダンボール等で和式便器程の長方形で高さ１０ｃｍ程の浅い枠を作り、前記実施例同様に構成された尿回収漏斗１と外部容器接続部１４において接続されている外部容器１３をその傍らに置き、ダンボール枠の中央に尿回収漏斗１を下ろし持ち手３を該ダンボール枠の左右に掛ければ和式スタイルの尿用簡易トイレとして使うことができる。
【産業上の利用可能性】
【００２６】
震災等の非常事態の断水時に使用を想定しているが、地域により起こる渇水時や、ハンデを持った方の採尿検査などにも応用でき得る。
【符号の説明】
【００２７】
１    尿回収漏斗
２    狭窄管部
３    持ち手
４    フランジ部
５    狭窄管接続部
６    漏斗状筒部
７    漏斗狭窄部
１０  洋式便器本体
１１  便器リム部
１３  外部容器
１４  外部容器接続部
１５  便座
【図１】
2016199865.tif 000003
【図２】
2016199865.tif 000004
【図３】
2016199865.tif 000005